(57)【要約】【課題】天板を透過して物を見せることができる構造において、容易に天板を透過して見せるための物を交換することができる調理台を提供する。【解決手段】調理台は、引出しを有するキャビネット１と、キャビネット１の上端部に載置される天板８とを備える。天板８は、引出しに対応する部分が透明に形成されている。天板８の上方から引出しの内部が目視可能に構成される。【選択図】図１
2017169949.tif 000002
【特許請求の範囲】
【請求項１】
引出しを有するキャビネットと、
前記キャビネットの上端部に載置される天板と
を備えた調理台であって、
前記天板は、前記引出しに対応する部分が透明に形成されており、
前記天板の上方から前記引出しの内部が目視可能に構成されている
ことを特徴とする調理台。
【請求項２】
前記キャビネットは、当該キャビネットの上端部を構成し前記天板を支持する上板を有しており、
前記上板には、前記引出しの上方に配置され上下方向に貫通した開口部が形成されている
ことを特徴とする請求項１記載の調理台。
【請求項３】
前記開口部の開口周縁部には、下方に突出するリブが設けられている
ことを特徴とする請求項２記載の調理台。
【請求項４】
前記キャビネットは、
背板と、
前記背板から前方に延出し、左右方向に離れた一対の縦板と、
前記一対の縦板の間に支持された横桟と、
前記横桟と前記背板とに支持された縦桟と
を有し、
前記縦桟は、前記開口部の開口周縁部を支持するように構成されている
ことを特徴とする請求項２または請求項３に記載の調理台。
【請求項５】
前記キャビネットは、
前記引出しとしての第１の引出しと、
前記第１の引出しの下方に配置され、前記第１の引出しよりも左右方向に長い第２の引出しと
を有し、
前記第１の引出しは第一トレイを内部に収容し、
前記第２の引出しは、
前記第一トレイと同じサイズの第二トレイと、
前記第二トレイに並ぶ第三トレイと
を内部に収容する
ことを特徴とする請求項１〜４のいずれか一項に記載の調理台。
【発明の詳細な説明】
【技術分野】
【０００１】
本発明は、調理台に関する。
【背景技術】
【０００２】
特許文献１には、従来の調理台が開示されている。この特許文献１記載の調理台は、透明な天板と、天板の下方に隙間を介して配置されたメモ台と、メモ台が配置された空間を開閉するための扉とを備えている。
【０００３】
この従来の調理台によれば、ユーザーは、扉を開け、メモ台に調理の本やメモを載せ、再度、扉を閉めることで、調理台の使用時に、天板を透過して、調理の本やメモの内容を目視することができる。
【先行技術文献】
【特許文献】
【０００４】
【特許文献１】実開平４−６４２３８号公報
【発明の概要】
【発明が解決しようとする課題】
【０００５】
ところで、この従来の調理台は、メモ台が、天板の下方においてヒンジを介して上下方向に揺動自在に取り付けられている。このため、従来の調理台では、ユーザーは、調理の本やメモなどをメモ台の上から差し替えるとき、上下方向に幅の小さい空間に料理の本やメモを差し込む必要があり、入れ替え作業がしにくいという問題があった。
【０００６】
本発明は、上記事情に鑑みてなされたものであり、その目的とするところは、天板を透過して物を見せることができる構造において、容易に天板を透過して見せるための物を交換することができる調理台を提供することにある。
【課題を解決するための手段】
【０００７】
本発明の調理台は、引出しを有するキャビネットと、前記キャビネットの上端部に載置される天板とを備える。前記天板は、前記引出しに対応する部分が透明に形成されている。前記天板の上方から前記引出しの内部が目視可能に構成されている。
【発明の効果】
【０００８】
本発明の調理台によれば、天板を透過して物を見せることができる構造において、容易に天板を透過して見せるための物を交換することができる。
【図面の簡単な説明】
【０００９】
【図１】本発明の一実施形態の調理台の斜視図である。
【図２】同上の分解斜視図である。
【図３】図２のＡ−Ａ線断面図である。
【図４】同上の引出しの内部のトレイを示す平面図である。
【発明を実施するための形態】
【００１０】
以下、本発明の実施形態について添付図面に基づいて説明する。
【００１１】
本実施形態の調理台は、フロアに設置されて使用される家庭用の調理台である。調理台は、図１に示すように、キャビネット１と、天板８とを備えている。
【００１２】
以下においては、調理台から見て、ユーザーが立つ側を前側として前後方向を定義する。また、前後方向に直交しかつ水平面に沿う方向を左右方向として定義する。
【００１３】
キャビネット１は、箱状に形成されており、調理台の主体を構成する。本実施形態のキャビネット１は、設置面としてのフロアに設置されるフロアキャビネットにより構成されている。キャビネット１は、図２に示すように、キャビネット本体１１と、上板６と、複数の引出し２，３，４，５とを備えている。
【００１４】
キャビネット本体１１は、キャビネット１の主体を構成する。キャビネット本体１１は、上板６を支持する。キャビネット本体１１は、背板１２，複数の縦板１３，横桟１４，縦桟１５，前桟１７，幕板１８，底板１９で構成される。
【００１５】
背板１２は、左右方向に長さを、上下方向に幅を有し、正面から見て（以下、正面視）矩形状に形成されている。本実施形態の背板１２は、シンク側板部１２ａと、調理側板部１２ｂとが、左右方向に同一平面上に並ぶように配置されて構成されている。なお、背板１２は、一枚の板により構成されてもよい。
【００１６】
各縦板１３は、前後方向に幅を、上下方向に長さを有している。複数の縦板１３は、左右方向に間隔をおいて配置されており、背板１２から前方に延びている。複数の縦板１３は、シンク側板部１２ａの両側と、調理側板部１２ｂの両側に配置されている（シンク側板部１２ａの両側に配置された縦板１３を、シンク側縦板１３ａといい、調理側板部１２ｂの両側に配置された縦板１３を調理側縦板１３ｂという）。一対の調理側縦板１３ｂのうち、中央側に配置された縦板１３ｂは、その他の縦板１３よりも上下方向に短く形成されている。
【００１７】
横桟１４は、一対の調理側縦板１３ｂに架け渡されている。横桟１４は、左右方向に長さを、前後方向に幅を有した平面視矩形状の板材により構成される。横桟１４は、一対の調理側縦板１３ｂに、Ｌ字状の金具を介して接続されており、換言すると、横桟１４は、左右方向に離れた一対の縦板１３の間に支持されている。
【００１８】
縦桟１５は、横桟１４と調理側板部１２ｂとに架け渡されている。縦桟１５は、前後方向に長さを、上下方向に幅を有した側面視矩形状の板材により構成される。縦桟１５の長手方向のうちの前端部は、横桟１４に載置され、後端部は調理側板部１２ｂに金具を介して接続されている。縦桟１５の上端面は、背板１２の上端面および複数の縦板１３の上端面と同一高さに位置している。縦桟１５と、一対の調理側縦板１３ｂのうちの外側の縦板１３ｂとの間には、収納スペース１６が形成されている。
【００１９】
前桟１７は、一対の調理側縦板１３ｂのうちの外側の縦板１３ｂと、縦桟１５との間に架け渡されている。前桟１７は、縦桟１５を補強する。前桟１７は、前後方向に幅を、左右方向に長さを有し、平面視矩形状に形成されている。前桟１７の上面は、調理側縦板１３ｂの上端面と面一に形成されている。
【００２０】
幕板１８は、一対のシンク側縦板１３ａの前面上部に架け渡されている。幕板１８は、上下方向に幅を、左右方向に長さを有し、正面視矩形状に形成されている。幕板１８の上端面は、一対のシンク側縦板１３ａと面一に形成されている。
【００２１】
底板１９は、複数の縦板１３の下端部、および背板１２の下端部に固定されており、調理台の底面を構成する。底板１９は、フロアに載置される。
【００２２】
このような構成のキャビネット本体１１には、複数の引出し２，３，４，５が前後方向に引き出し可能に取り付けられている。
【００２３】
調理台は、複数の引出し２，３，４，５として、第１の引出し２と、第２の引出し３と、第３の引出し４と、シンク下引出し５とを備えている。第１の引出し２は、縦桟１５と、横桟１４と、一対のシンク側縦板１３ａのうちの中央側の縦板１３ａとに囲まれたスペースに収納されている。第１の引出し２は、上方に開口した有底箱状の収納部２ａと、収納部２ａの前側に取り付けられた前板部２ｂとを備えている。第１の引出し２は、縦桟１５および一対のシンク側縦板１３ａのうちの中央側の縦板１３ａに取り付けられたスライドレール（図示せず）に取り付けられている。これにより、第１の引出し２は、キャビネット本体１１の上端面に沿って前後方向にスライド可能に取り付けられている。第１の引出し２は、キャビネット１内に収まった状態（収納状態）において、前板部２ｂが、収納スペース１６の前方の開口を閉じるように構成される。
【００２４】
第２の引出し３は、第１の引出し２の下方に配置される。第２の引出し３は、上方に開口した有底箱状の収納部３ａと、収納部３ａの前側に取り付けられた前板部３ｂとを備えている。第２の引出し３の収納部３ａは、第１の引出し２の収納部３ａに比べて、高さおよび前後方向の長さは同じであるが、左右方向の幅が長くなるように形成されている。第２の引出し３は、一対の調理側縦板１３ｂにスライドレール（図示せず）を介して前後方向にスライド可能に取り付けられている。
【００２５】
第３の引出し４は、第２の引出し３の下方に配置される。なお、第３の引出し４の構成は、第２の引出し３の構成と同じであるため説明を省略する。
【００２６】
シンク下引出し５は、幕板１８の下方に配置される。シンク下引出し５は、上方に開口した有底箱状の収納部５ａと、収納部５ａの前側に取り付けられた前板部５ｂとを備えている。シンク下引出し５は、一対のシンク側縦板１３ａにスライドレール（図示せず）を介して前後方向にスライド可能に取り付けられている。
【００２７】
キャビネット１は、背板１２，複数の縦板１３，幕板１８に支持される上板６を有している。上板６は、キャビネット本体１１の上端面に載置された状態で固定され、これにより、キャビネット１の上端部を構成する。上板６は、後述の天板８を支持するように構成される。上板６は、カウンター部６１と、シンク部６４とを備えている。
【００２８】
カウンター部６１は、シンク部６４以外の部分であり、平坦面により構成されている。カウンター部６１の外縁は、平面視においてキャビネット本体１１の外縁と略一致する。カウンター部６１は、例えば合成樹脂により構成されており、シンク部６４と一体に成形されている。
【００２９】
カウンター部６１には、上下方向に貫通する開口部６２が設けられている。開口部６２は、第１の引出し２の直ぐ上方に配置されるように構成される。
【００３０】
開口部６２の開口周縁部には、図３に示すように、下方に突出するリブ６３が形成されている。リブ６３は、開口周縁部の全長にわたって形成されており、平面視略矩形状に形成されている。リブ６３の内周端面と開口部６２の内周端面とは面一に形成されている。リブ６３の外周端面は、上板６がキャビネット本体１１に載置された状態において、縦桟１５の側方に隣接し、また、シンク側縦板１３ａの側方に隣接する。開口部６２の開口周縁部にリブ６３が設けられることで、開口部６２の強度の低下を抑制できる。
【００３１】
また、カウンター部６１において、上板６がキャビネット本体１１に載置された状態で、リブ６３の外側（開口から離れる側）の部分（開口部６２の開口周縁部）は、左右方向の一方が縦桟１５により支持され、他方が縦板１３ａにより支持されている。これにより、開口部６２の強度の低下をさらに抑制できる。
【００３２】
シンク部６４は、図２に示すように、上方に開口した箱状に形成されている。シンク部６４の底面には、排水口６５が形成されている。
【００３３】
このような構成のキャビネット１の上端部（つまり、上板６）には、天板８が載置される。天板８は、例えば、前後方向に幅を左右方向に長さを有しており、平面視矩形状に形成されている。また、天板８には、シンク部６４に対応する部分に、上下方向に貫通する開口８１が設けられている。
【００３４】
天板８は、透明板により構成されている。天板８は、例えば、ガラス板や、透明な樹脂板により構成される。ここで言う透明とは、目視により、天板８を透過して、反対側に位置する物体を認識できる程度のものをいう。具体的には、可視光線透過率５０％以上が本実施形態の「透明」の範疇であり、より好ましくは８０％以上である。
【００３５】
天板８の開口８１とシンク部６４の開口とが一致するように、キャビネット１の上板６に天板８を載置すると、天板８が上板６の開口部６２を覆う。開口部６２が透明な天板８により覆われているため、ユーザーは、天板８の上方から引出し２の内部を目視することができる。
【００３６】
また、キャビネット１は、背板１２の調理側板部１２ｂの前面に照明装置９が取り付けられている。照明装置９は、第１の引出し２の内部に光を照射することができる。第１の引出し２を閉じた状態で、照明装置９により第１の引出し２の内部を照らすことで、ユーザーは、第１の引出し２の内部の収納物を、天板８を透過してよりはっきりと視認することができる。
【００３７】
本実施形態の第１の引出し２の内部には、図４に示すように、第一トレイ７１が収容されている。第一トレイ７１には、例えば、食器などの収容物が収納される。第２の引出し３には、第二トレイ７２と第三トレイ７３とが収納されている。
【００３８】
第二トレイ７２は、第一トレイ７１と同じサイズのトレイである。第三トレイ７３は、第二トレイ７２に比べ、前後方向の長さが同じで、かつ左右方向の幅が短く形成されている。第二トレイ７２と第三トレイ７３とは左右方向に並んだ状態で第２の引出し３の内部に収容される。
【００３９】
これにより、ユーザーは、第一トレイ７１と第二トレイ７２との交換を容易にすることができる。この結果、天板８を透過して目視できる収納物として、第一トレイ７１と第二トレイ７２とを選択でき、ユーザーは容易に天板８を透して見える外観を変えることができる。
【００４０】
また、図２に示すように、第１の引出し２には、第一トレイ７１に載置可能な載置台７４を配置してもよい。載置台７４には、写真，メモ，雑誌の切り抜き，あるいは料理のレシピなどを適宜配置することができる。ユーザーは好みに応じて、載置台７４を利用することができる。
【００４１】
以上、説明したように、本実施形態の調理台は、引出し２を有するキャビネット１と、キャビネット１の上端部に載置される天板８とを備える。天板８は、引出し２に対応する部分が透明に形成されている。天板８の上方から引出し２の内部が目視可能に構成される。この構成によれば、引出し２の内部の収容物を交換するだけで、天板８を透過して見せることができる物を交換することができる。
【００４２】
また、本実施形態の調理台は、次の付加的な構成を備える。すなわち、本実施形態のキャビネット１は、上板６を有する。上板６は、キャビネット１の上端部を構成するように構成され、天板８を支持する。上板６には、開口部６２が形成される。開口部６２は、引出し２の上方に配置されており、上下方向に貫通する。この構成によれば、透明な天板８を上板６により支持することができ、つまり、開口部６２を除く部分を面状に支持することができ、開口部６２を設けることによる強度低下をできる限り抑制することができる。
【００４３】
また、本実施形態の調理台は、次の付加的な構成を備える。すなわち、本実施形態の調理台は、開口部６２の開口周縁部に、下方に突出するリブ６３が設けられている。この構成によれば、開口部６２の開口周縁部で生ずる強度低下を抑制することができる。
【００４４】
また、本実施形態の調理台は、次の付加的な構成を備える。すなわち、本実施形態のキャビネット１は、背板１２と、一対の縦板１３と、横桟１４と、縦桟１５とを有する。一対の縦板１３は、背板１２から前方に延出し、左右方向に離れる。横桟１４は、一対の縦板１３の間に支持される。縦桟１５は、横桟１４と背板１２とに支持される。縦桟１５は、開口部６２の開口周縁部を支持するように構成されている。この構成によれば、この構成によれば、開口部６２の開口周縁部で生ずる強度低下をより効果的に抑制することができる。
【００４５】
また、本実施形態の調理台は、次の付加的な構成を備える。すなわち、本実施形態のキャビネット１は、第１の引出し２と第２の引出し３とを有する。第２の引出し３は、第１の引出し２の下方に配置され、第１の引出し２よりも左右方向に長い。第１の引出し２は、第一トレイ７１を内部に収容する。第２の引出し３は、第一トレイ７１と同じサイズの第二トレイ７２と、第二トレイ７２に並ぶ第三トレイ７３とを内部に収容する。この構成によれば、第１の引出し２内の第一トレイ７１と第２の引出し３内の第二トレイ７２との交換が容易にでき、天板８を透過して見せるための物を容易に交換することができる。
【００４６】
なお、本実施形態の調理台は、本実施形態の調理台の左右方向の端部に、ＩＨ（induction heating）コンロなどの加熱調理器が設けられてもよい。
【００４７】
本実施形態の天板８は、全体が透明な透明板により構成されたが、例えば、上板６の開口部６２に対応する位置のみが透明に形成され、その他の部分が非透明に形成されたような天板８であってもよい。
【００４８】
その他、本発明の主旨を逸脱しない範囲であれば、適宜設計変更を行うことができる。
【符号の説明】
【００４９】
１      キャビネット
１２    背板
１３    縦板
１４    横桟
１５    縦桟
２      第１の引出し
３      第２の引出し
６      上板
６２    開口部
６３    リブ
７１    第一トレイ
７２    第二トレイ
８      天板
【図１】
2017169949.tif 000003
【図２】
2017169949.tif 000004
【図３】
2017169949.tif 000005
【図４】
2017169949.tif 000006